(57)【要約】      （修正有）【課題】和風の趣を感じ、冷を感じることができる行燈風明り取りを提供する。【解決手段】枠体で構成した行燈風明り取りの側面等にうちわを配置する。【選択図】図１
0003167232.tif 000002
【実用新案登録請求の範囲】
【請求項１】
枠体を組合わせて形成する行燈において、当該行燈の側面にうちわを配したことを特徴とする行燈風明り取り。
【請求項２】
前記行燈の側面に和紙を貼付し、当該和紙の内側にうちわを配したことを特徴とする請求項１の行燈風明り取り。
【請求項３】
枠体を組合わせて形成する行燈において、縦方向を短く横幅の広い形状とし、当該行燈の底面に複数のうちわを配したとことを特徴とする請求項１の行燈風明り取り。
【請求項４】
前記行燈の底面に和紙を貼付し、当該和紙の内側に複数のうちわを配したことを特徴とする請求項１または請求項３の行燈風明り取り。
【請求項５】
前記行燈を構成する枠体を木材枠としたことを特徴とする請求項１、２または３または４の行燈風明り取り。
【請求項６】
前記行燈を構成する枠体を竹材枠としたことを特徴とする請求項１、２または３または４の行燈風明り取り。
【請求項７】
前記行燈を構成する枠体を合成樹脂材枠としたことを特徴とする請求項１、２または３または４の行燈風明り取り。
【考案の詳細な説明】
【技術分野】
【０００１】  本考案は、行燈風明り取りの改良に関するものである。
【背景技術】
【０００２】  従来より昔風の行燈、現代風の行燈と、その形状には種々あるものの内部に電球を配設した行燈風の明り取りは数多く市販されている。このような行燈風明り取りは、行燈を構成する枠体間に透光性の紙を貼付し、当該紙に絵模様を描くか、または枠体そのものに装飾を施していた。【０００３】  一方、うちわは昔から冷をとる道具として重宝されていたが、現在では屋外での夕涼み時に用いられているものの、屋内では扇風機、エアコン等の普及で冷を取るために用いられることはなく、現在ではうちわ業界そのものが斜陽産業となっている。【０００４】  うちわは、現在においてはあまり使われなくなったとはいえ、やはり古来よりの冷を取る道具としては広く一般に知られており、出願人は、うちわを見ただけで涼しく感じる、うちわを見ることにより和風の趣を感じるという使い道を模索していた。
【考案の開示】
【考案が解決しようとする課題】
【０００５】  うちわをその他の物体と合体させ、その物体を見ることにより和風の趣を感じ、冷を感じるという、うちわの使用方法を勘案することが問題点を解決しようとする課題である。
【課題を解決するための手段】
【０００６】  本考案は、枠体で構成した行燈風明り取りの側面等にうちわを配し、うちわを透ける明かりで行燈とうちわの双方から和風の趣を感じ取り、更にうちわから透ける明かりにより冷を感じ取ることができる行燈風明り取りの開発、これが課題を解決するための手段である。
【考案の効果】
【０００７】  本考案は、枠体を組合わせて形成する行燈において、当該行燈の側面にうちわを配したことを特徴とする行燈風明り取りであり、更には、前記行燈の側面に和紙を貼付し、当該和紙の内側にうちわを配したことを特徴とする行燈風明り取りであるから、昔ながらの趣のある行燈にうちわを配することにより、和風の趣が一段と向上し、更にはうちわを透けてくる明りにより冷を感じ取り、夏場には最適の行燈風明り取りとなる。更には、枠体を組合わせて形成する行燈において、縦方向を短く横幅の広い形状とし、当該行燈の底面に複数のうちわを配したとことを特徴とする行燈風明り取りであり、更には、前記行燈の底面に和紙を貼付し、当該和紙の内側に複数のうちわを配したことを特徴とする行燈風明り取りであるから、例えば当該行燈風明り取りを天井から吊下げるか、もしくは天井に装着すれば、下面に配したうちわを透けて明りを感じ取れ、前述と同じく和風の趣が一段と向上し、更にはうちわを透けてくる明りにより冷を感じ取り、夏場には最適の行燈風明り取りとなる。当該行燈風明り取りは天井に装着する以外にも壁面に装着することもできる。更には、前記行燈を構成する枠体を木材枠としたことを特徴とする行燈風明り取りであり、更には、前記行燈を構成する枠体を竹材枠としたことを特徴とする行燈風明り取りであり、更には、前記行燈を構成する枠体を合成樹脂材枠としたことを特徴とする行燈風明り取りであるから、木材枠は木目を強調した枠体とすることもでき、また竹材は、竹の趣をそのまま生かした枠体とし、合成樹脂材の枠体は製造が容易である等、誠に顕著なる種々の実用的効果を有するものである。
【考案を実施するための最良の形態】
【０００８】  本考案は、枠体を組合わせて形成する行燈において、当該行燈の側面にうちわを配したことを特徴とする行燈風明り取りであり、更には、前記行燈の側面に和紙を貼付し、当該和紙の内側にうちわを配したことを特徴とする請求項１の行燈風明り取りであり、更には、枠体を組合わせて形成する行燈において、縦方向を短く横幅の広い形状とし、当該行燈の底面に複数のうちわを配したとことを特徴とする請求項１の行燈風明り取りであり、更には、前記行燈の底面に和紙を貼付し、当該和紙の内側に複数のうちわを配したことを特徴とする請求項１または請求項３の行燈風明り取りであり、更には、前記行燈を構成する枠体を木材枠としたことを特徴とする請求項１、２または３または４の行燈風明り取りであり、更には、前記行燈を構成する枠体を竹材枠としたことを特徴とする請求項１、２または３または４の行燈風明り取りであり、更には、前記行燈を構成する枠体を合成樹脂材枠としたことを特徴とする請求項１、２または３または４の行燈風明り取りを呈せんとするものである。
【実施例１】
【０００９】  枠体２を組合わせて形成する行燈１において、当該行燈１の側面にうちわ３を配している。うちわ３は枠体２の内面に形成した溝５に両側面を挿入し、うちわ３の柄４の下部を枠体２の下部横枠に挿入している。【００１０】  枠体２を組合わせて形成する行燈１において、当該行燈１の側面に透光性の和紙６を貼付し、当該和紙６の内側にうちわ３を配している。うちわ３は和紙６に貼着してもよいし、また枠体２の内面に形成した溝に両側面を挿入し、柄４の下部を枠体２の下部横枠に挿入してもよい。尚、本実施例においては、うちわ３の骨は竹製としているが、合成樹脂性の骨とすることもある。また和紙５は同じく透光性を有するアクリル板でもよい。【００１１】  枠体２を組合わせて形成する行燈１において、当該行燈１の側面に透光性の和紙５を貼付し、当該和紙５の内側にうちわ３を配している。この際、図２に示すように、うちわ３は小型のうちわ３を複数個配することも可能であり、また４面にうちわ３を配するのでなくて、側面等はその他の造形物８を配することも可能たである。
【実施例２】
【００１２】  枠体２を組合わせて形成する行燈１において、当該行燈１は、縦方向の寸法を短く横方向を広くした形状とすると共に、底面６に複数のうちわ３を配している。本実施例においては行燈１の横方向中心縦方向に竹材７を配し、うちわ３の柄４を当該竹材７に挿入して固定している。また底面６は縦方向の枠体２に対して直角としているが、中央部を適宜突出させた斜状としてもよい。当該形状の行燈１は天井に装着してもよく、また壁面に装着することもできる。【００１３】  枠体２を組合わせて形成する行燈１において、当該行燈１は、縦方向の寸法を短く横方向を広くした形状とすると共に、行燈１の横方向中心縦方向に竹材７を配し、うちわ３の柄４を当該竹材７に挿入して固定している。更に行燈１の縦方向側面には透光性の和紙を貼付し、底面６に配したうちわ３の外側にも同じく透光性の和紙を貼付している。また、縦方向の側面に貼付して和紙５の内側に小型のうちわ３を配してもよい。【００１４】  実施例２の行燈において、本実施例においては枠体２を組み合わせた行燈としているが、当該枠体２を提灯状とすることも可能である。【００１５】  実施例１、実施例２において行燈１を形成する枠体２の材質は、本実施例においては和風の趣を出すために竹材、木材としているが、合成樹脂材としてもよい。また、うちわ３の形状、大きさは問わない。更に和紙５でなく、同じく透光性を有するアクリル板でもよい。
【産業上の利用可能性】
【００１６】本考案は、枠体を組合わせて形成する行燈１において、当該行燈１の側面にうちわ３を配したことを特徴とする行燈風明り取りであり、更には、前記行燈１の側面に和紙５を貼付し、当該和紙５の内側にうちわ３を配したことを特徴とする行燈風明り取りであり、更には、枠体２を組合わせて形成する行燈１において、縦方向を短く横幅の広い形状とし、当該行燈１の底面６に複数のうちわ３を配したとことを特徴とする行燈風明り取りであり、更には、前記行燈１の底面６に和紙５を貼付し、当該和紙５の内側に複数のうちわ３を配したことを特徴とする行燈風明り取りであり、更には、前記行燈１を構成する枠体２を木材枠としたことを特徴とする行燈風明り取りであり、更には、前記行燈１を構成する枠体２を竹材枠としたことを特徴とする行燈風明り取りであり、更には、前記行燈１を構成する枠体２を合成樹脂材枠としたことを特徴とする行燈風明り取りであるから、電器産業業界においても、うちわと合体した新たな行燈風明り取りに魅力があるだろうし、斜陽産業と言われるうちわ業界にとっては、従来の冷を取るという本来のうちはの使用方法以外の用途が見いだされるものであり、当該行燈風明り取りを基台として更に新たな使用方法が模索されるであろう。また、数量にすれば少ない者であっても、木材関係、竹材関係、合成樹脂関係の企業にとっても新たな製品の開発に寄与できるものである等、産業上での利用可能性は極めて大きいものがある。
【図面の簡単な説明】
【００１７】
【図１】  本考案実施例を示す斜視図。
【図２】  本考案実施例を示す斜視図。
【図３】  本考案二の実施例を示ず側面図。
【図４】  本考案二の実施例を示す底面図。
【符号の説明】
【００１８】  １  行燈
２  枠体
３  うちわ
４  柄
５  和紙
６  底面
７  竹材
８  造形物
【図１】
0003167232.tif 000003
【図２】
0003167232.tif 000004
【図３】
0003167232.tif 000005
【図４】
0003167232.tif 000006